(57)【要約】【課題】表面層が浮いたり剥離したりすることが殆どなく、金属箔により傷を負うこともなく、施工作業性が良好で、施工後はクッション性・保温性を有する屋内床用化粧シート、床敷設構造、及び屋内床用化粧シートの床敷設方法を提供する。【解決手段】一面に表面加飾性を有する樹脂シートの裏面に粘着剤層が設けられた化粧シート３における粘着剤面に柔軟性フィルム２を介して、厚さ０．５ｍｍ以上の可撓性を有する両面粘着シート１が積層されてなる屋内床用化粧シート４、及び、両面粘着シート１における柔軟性フィルムと反対側の粘着面が屋内床面に貼り付け積層されてなる屋内床用化粧シートの床敷設構造、並びに、屋内床用化粧シート４の粘着面を屋内床面に貼り付け積層する屋内床用化粧シートの床敷設方法。【選択図】　図１
2004035589.tif 000002
【特許請求の範囲】
【請求項１】
一面に表面加飾性を有する樹脂シートの裏面に粘着剤層が設けられた化粧シートにおける粘着剤面に柔軟性フィルムを介して、厚さ０．５ｍｍ以上の可撓性を有する両面粘着シートが積層されてなることを特徴とする屋内床用化粧シート。
【請求項２】
上記両面粘着シートにおける柔軟性フィルムと反対側の粘着面が屋内床面に貼り付け積層されてなることを特徴とする屋内床用化粧シートの床敷設構造。
【請求項３】
厚さ０．５ｍｍ以上の可撓性を有する両面粘着シートの片面に、柔軟性フィルムが積層された粘着シートの粘着面側を屋内床面に貼り付けた後、一面に表面加飾性を有する樹脂シートの裏面に粘着剤層が設けられた化粧シートにおける粘着剤面を、前記粘着シートに貼り付け積層することを特徴とする上記屋内床用化粧シートの床敷設方法。
【発明の詳細な説明】
【０００１】
【発明の属する技術分野】
本発明は、特に浴室の床面のタイル用として好適に使用可能な、屋内床用化粧シート、及びこの化粧シートが積層されてなる床敷設構造、並びに、屋内床用化粧シートの床敷設方法に関する。
【０００２】
【従来の技術】
従来より、例えば浴室の壁や床に敷設されるタイル面を保護したり装飾を施したりする目的で、表面樹脂フィルム層に金属箔を裏打ちした、接着剤層を有する化粧シートが用いられていた（特許第３０４８０９２号公報参照）。
【０００３】
しかしながら、タイル面には、通常、幅２〜５ｍｍ程度、深さ１〜５ｍｍ程度の細い溝からなる目地部が形成されているため、上記公報記載の接着化粧シートを用いた場合は、各目地部において、接着化粧シートの表面樹脂フィルム層から目地部の凹みに向けて、逐一アルミニウム箔等を押圧して目地部の段差部分に貼着することが必要であり、作業性の改善が望まれるものであると共に、施工後も経時により浮いて隙間が生じるなど、タイル床敷設構造の一層の品質向上が望まれるものであった。
【０００４】
【発明が解決しようとする課題】
上記接着化粧シートの施工の際、本発明者の検討によれば、アルミニウム箔等の金属箔は塑性変形によって目地部の段差部分に追従可能であるが、塩化ビニル樹脂等からなる表面樹脂フィルム層は、上記押圧によって目地部の段差部分に沿うべく変形したかに見えても、現実には、施工後の弾性余効により金属箔から剥離して浮きが生じたり、甚だしい場合は接着化粧シートの端部から剥離するという問題があった。
この現象は、特に、タイルを敷設した後長期を経て各タイルの納まり状態が乱れている状態で接着化粧シートを積層する場合に、比較的高い割合で発生する傾向があった。
【０００５】
また、上記接着化粧シートにはアルミニウム箔等の金属箔が用いられているため、取扱いの際、例えば特に、施工しようとするタイル面の広さが非定形の寸法の場合に現場で適宜の寸法に切断しなければならず、金属箔によって作業者や居住者が不測の傷を負う場合があり、又、意匠上も見栄えの悪い場合があった。
【０００６】
【課題を解決するための手段】
本発明は、上記従来のタイル用接着化粧シートの問題点に鑑みてなされたもので、その目的は、表面層が浮いたり剥離したりすることが殆どなく、金属箔により傷を負うこともなく、施工作業性が良好で、施工後はクッション性・保温性を有する屋内床用化粧シート、床敷設構造、及び屋内床用化粧シートの床敷設方法を提供することにある。
【０００７】
上記目的を達成するために、請求項１記載の発明は、一面に表面加飾性を有する樹脂シートの裏面に粘着剤層が設けられた化粧シートにおける粘着剤面に柔軟性フィルムを介して、厚さ０．５ｍｍ以上の可撓性を有する両面粘着シートが積層されてなる屋内床用化粧シートを提供する。
【０００８】
本発明の屋内床用化粧シートは、裏面に粘着剤層が設けられた表面加飾性を有する樹脂シートが化粧シートとして用いられている。
この樹脂シートに用いられる樹脂の種類は特に限定されず、塩化ビニル系樹脂、オレフィン系樹脂、アクリル系樹脂、ウレタン系樹脂、及びポリエステル系樹脂等が挙げられ、耐水性、強度及び伸度等の物性、コスト等の点から、軟質塩化ビニル樹脂が好ましく用いられる。
【０００９】
上記樹脂シートの一面には、例えば、着色インキによる印刷層や染料・顔料等の着色剤による着色層、又は立体的模様などが形成されて表面加飾性が付与されている。
また、耐磨耗性を高めるため、特に浴室の床用タイルに用いる場合は、炭酸カルシウムその他の無機充填剤等からなる耐磨耗性向上剤を添加しても良い。
【００１０】
上記粘着剤層を構成する粘着剤の種類は特に限定されず、アクリル系粘着剤、合成ゴム系粘着剤、シリコーン系粘着剤等が挙げられ、耐水性、耐久性、及びコスト等の点からアクリル系粘着剤が好ましく用いられる。
このような粘着剤層の厚さは、特に限定されず、通常、３０〜１００μｍ程度とされる。
又、上記化粧シートの厚さは、通常、裏面に設けられた粘着剤層を含めて１００〜５００μｍ程度とされる。
【００１１】
本発明の屋内床用化粧シートは、上記化粧シートにおける粘着剤面に柔軟性フィルムを介して、両面粘着シートが積層されてなるものである。
この両面粘着シートは、厚さが０．５ｍｍ以上で可撓性を有するので、後に詳述する如く、例えば、タイル面に積層する際に化粧シートから目地部の凹みに向けて軽く押圧するだけで目地部に沿うとともに接着することが可能である。
また、厚さが０．５ｍｍ以上であるので、例えば、タイルへの積層施工後はクッション性・保温性を発現する。クッション性・保温性の観点から好ましい厚さは０．７ｍｍ以上であるが、厚過ぎるとタイル等へ積層後の歩行感等が悪くなるため、２ｍｍ以下が好ましい。
尚、厚さが０．５ｍｍ未満では、例えば、タイルの目地部における馴染み状態が悪く、また、クッション性や保温性が発現されない。
【００１２】
可撓性を有する両面粘着シートとしては、例えば、好ましくはポリエステル系不織布等の支持体を含む、ブチルゴム系両面粘着シートが挙げられる。
ブチルゴムは、通常、イソブチレンとイソプレンとをイオン重合して得られる、耐老化性、気体及び水の非透過姓に優れた合成ゴムであり、ブチルゴム系両面粘着シートは、粗面への接着姓及び耐水性に優れている。
【００１３】
上記柔軟性フィルムは、化粧シートの粘着剤層と、可撓性を有する両面粘着シートを分離させて、両面粘着シートと床面の凹凸部に追従した影響が、化粧シートにも影響することを防ぐ機能を有する。又、本発明の屋内床用化粧シートの製造時の作業性を良好なものとし、ひいては屋内床用化粧シートの生産性を高めることとなる。
【００１４】
更に、本発明の屋内床用化粧シートの床敷設方法において、両面粘着シートに柔軟性フィルムを介して化粧シートにおける粘着剤面を貼り付ける際に、この柔軟性フィルムを予め両面粘着シートの片面に積層することにより、化粧シートにおける粘着剤層が不測に両面粘着シート表面に貼り付いてしまって、作業性を極端に低下させることを防止する。
【００１５】
このような柔軟性フィルムを構成する樹脂の種類は限定されず、例えば、ポリエチレンテレフタレート等のポリエステルや、アクリル樹脂、ポリカーボネート樹脂等が用いられる。
柔軟性フィルムの厚さは、特に限定されず、通常、０．５ｍｍ〜１．０ｍｍ程度とされる。
このように、本発明の「屋内床用化粧シート」は、金属箔を含まない積層構成とされている。
【００１６】
本発明の「屋内床用化粧シートの床敷設構造」は、上記両面粘着シートにおける柔軟性フィルムと反対側の粘着面が屋内床面に貼り付け積層されてなる、本発明の屋内床用化粧シートが屋内床面に積層された敷設構造である。
屋内床面を構成する材料は、多くの場合、タイルが用いられる。タイルは、一般には、陶磁器質のものが用いられるが、場合によっては、アスファルト、テラゾ、プラスチック等からなるものであっても構わない。また、場合によっては、通常は床下地材として用いられているアスファルト、コンクリート等からなるものであってもよい。
【００１７】
【発明の実施の形態】
図１はその積層体の一例を示す模式的断面図であり、両面粘着シート１と化粧シート３が柔軟性フィルム２を介して積層されてなる屋内床用化粧シート４が、タイル５に積層されている。
尚、６はコンクリート製のタイル下地材であり、７は浴槽のエプロン、８はコーキング剤を表す。
両面粘着シート１は各目地部５１において、その段差に沿った状態となされ、柔軟性フィルム２を介して積層されている化粧シート３は、各目地部５１において、浮き等の状態が全く生じていない。
【００１８】
本発明の「屋内床用化粧シートの床敷設構造」を得るには、本発明の屋内床用化粧シートの粘着面を、タイル等の床面へ貼り付け積層することにより得られる。
この場合、必要により、床面へ予め接着剤を塗布する場合があってもよい。
本発明の屋内床用化粧シートを用いる場合、及び後述する粘着シート積層体を用いる場合の何れの場合でも、床面をある程度乾燥させるのが好ましい。
【００１９】
本発明の「屋内床用化粧シートの床敷設方法」は、先ず、両面粘着シートの片面に柔軟性フィルムが積層された粘着シート（以下、適宜「粘着シート積層体」という）を作製しておいて、両面粘着シートの露出している粘着面を屋内床面に貼り付け、その後、化粧シートにおける粘着剤面を、前記粘着シート積層体に貼り付け積層する方法である。
【００２０】
図２は、「粘着シート積層体」を用いた、排水孔回りにおける屋内床用化粧シートの床敷設方法の一例を説明するための模式的断面図である。
目皿回りのような水勾配がきつい場合は不陸調整をしておくのが好ましい。
先ず、両面粘着シート１と柔軟性フィルム２が予め一体に積層されてなる粘着シート積層体２１を、排水孔９を有するタイル下地材６に隣接して敷設されたタイル５に、上記と同様にして積層する。
次に、柔軟性フィルム２の表面に、粘着剤層を有する化粧シート３（粘着剤層は図示を省略）を積層する。この際、場合により化粧シート３を手で引き伸ばしつつ、図中の矢印で示す如く粘着シート積層体２１の側面を覆うように、かつ、目皿（図示せず）が納まる部分のタイル下地材６の表面を部分的に覆うように積層するのである。
【００２１】
（実施例１）
図１に示した浴槽回りの陶磁器製タイル床面に、以下の構成の本発明「屋内床用化粧シート」における両面粘着シートを積層施工した。
化粧シート：厚さ２９５μｍの軟質塩化ビニル樹脂シート（厚さ４５μｍの
アクリル系粘着剤層含む、積水化学工業社製、「パロアバスフロア」）
柔軟性フィルム：透明ＰＥＴフィルム（厚さ５００μｍ）
両面粘着シート：ブチルゴム系両面粘着シート（ブチルゴム系粘着剤／ポリエステル系不織布／ブチルゴム系粘着剤の三層積層体、全厚１ｍｍ）
【００２２】
施工後は、両面粘着シートが各目地部においてその段差に沿った状態となり、柔軟性フィルムを介して積層されている化粧シートは、各目地部において、浮きや剥がれ等が全く生じていなかった。
【００２３】
（実施例２）
先ず、実施例１において用いた両面粘着シートに実施例１において用いた柔軟性フィルムを積層して予め作製した粘着シート積層体を、図２に示した排水孔回りの陶磁器製タイル床面に貼り付けた。
次いで、化粧シートにおける粘着剤面を、粘着シート積層体に貼り付け積層した。この際、化粧シートを手で引き伸ばしつつ、図中の矢印で示す如く粘着シート積層体の側面を覆うように、かつ、目皿（図示せず）が納まる部分のタイル下地材の表面を部分的に覆うように積層することができた。
【００２４】
（比較例１）
図１に示した浴槽回りの陶磁器製タイル床面に、以下の構成の金属箔を裏打ちした接着剤層を有する化粧シートを貼り付けた。
表面シート：厚さ約３００μｍの軟質塩化ビニル樹脂シート（厚さ約５０μｍ
の粘着剤層を含む）
金属箔　　：厚さ約７μｍのアルミニウム箔で、その裏面に厚さ約５０μｍの
粘着剤層が設けられている。
この際、各目地部において、表面シートから目地部の凹みに向けて、逐一アルミニウム箔を押圧して目地部の段差部分に貼着することが必要であり、作業性が悪いものであった。
【００２５】
（比較例２）
比較例１で用いた化粧シートを用い、図２に示した排水孔回りの陶磁器製タイル床面に、以下の点を除いては比較例１と同様にして貼り付けた。
排水孔回りは、目皿部周辺の形状に合わせて、化粧シート全体を切断し、その周囲にはコーキング剤でシーリング処理したが、流水によりコーキング剤が所定の形状を維持できず、表面シートの裏面に水が回る結果、表面シートの浮き、剥がれ等の不都合が発生した。
また、アルミニウム箔により足に怪我をする場合があった。
【００２６】
【発明の効果】
本発明の屋内床用化粧シートは、上述の通り各層が実質的に樹脂から構成され、金属箔を含まない構成とされているので、金属箔により傷を負うことが皆無で、また、目地部の全てを押さえ込む必要がないので施工作業性が良好であるとともに、表面層たる化粧シートが浮いたり剥離したりすることが殆どなく、施工後はクッション性・保温性を有するという実用的に大きな効果を奏するものである。
更に、特に厚さ０．５ｍｍ以上の可撓性を有する両面粘着シートからなる両面粘着シートを備えているので、例えばタイルの割れや欠けが有る場合も、下地処理が少なくて済むとともに、ブチルゴム系両面粘着シートを用いた場合は、防水性が高いという利点を有する。
【００２７】
本発明の屋内床用化粧シートの床敷設構造は上述の通りの構成となされ、化粧シートが浮いたり剥離したりすることが殆どなく、クッション性・保温性を有する実用的に大きな効果を奏する。
本発明の屋内床用化粧シートの床敷設方法は上述の通りの構成となされ、先ず厚さ０．５ｍｍ以上の可撓性を有する両面粘着シートの片面に、柔軟性フィルムが積層された粘着シートの粘着面側を屋内床面に貼り付け、その後に、化粧シートにおける粘着剤面を、前記粘着シートに貼り付け積層するので、例えば、化粧シートを手で引き伸ばしたりして、曲面にも十分追従して施工することができる。
【００２８】
【図面の簡単な説明】
【図１】本発明の床敷設構造の一例を示す模式的断面図である。
【図２】本発明の屋内床用化粧シートの床敷設方法の一例を説明するための模式的断面図である。
【符号の説明】
１　　両面粘着シート
２　　柔軟性フィルム
２１　粘着シート積層体
３　　化粧シート
４　　屋内床用化粧シート
５　　目地部
【図１】
2004035589.tif 000003
【図２】
2004035589.tif 000004